(57)【要約】【課題】従来技術では、家庭内に家族の別の者が居る場合にでも、電子機器の状態を直接的に取得し、また、従来の冷蔵庫では、家に帰って伝言メモを出力する操作をしなければ、伝言メモを知ることができなかった。【解決手段】外部から電話をかけて、留守である場合に、携帯電話等の通信装置が情報を取得する情報処理システムであり、かかる情報処理システムにより、家庭内に人が居る場合には、その人から電話により状況を取得し、人が居ない場合にのみ、機器間の通信により電子機器の状況や家人が残した伝言メモ等を取得する。【選択図】図２
2006203955.tif 000002
【特許請求の範囲】
【請求項１】
第一通信装置と第二通信装置と第三通信装置を有する情報処理システムにおいて、
前記第一通信装置は、
前記第二通信装置に電話をかける第一通話部と、
前記第三通信装置から送信された情報を受信する第一情報受信部と、
前記第一情報受信部が受信した情報を出力する情報出力部を具備し、
前記第二通信装置は、
前記第一通信装置と通信を行う第二通話部と、
前記第一通信装置からかけられた電話に対して、一定時間以上応答がなかったか否かを判断する留守判断部と、
前記留守判断部における判断が、一定時間以上応答がなかったとの判断である場合に、前記第三通信装置に情報の送信を指示する情報送信指示部を具備し、
前記第三通信装置は、
情報を保持している情報保持部と、
前記情報送信指示部からの指示を受け付ける指示受付部と、
前記指示受付部で指示を受け付けた場合に、前記情報保持部が保持している情報を前記第一通信装置に送信する直接情報送信部を
具備する情報処理システム。
【請求項２】
第一通信装置と第二通信装置と第三通信装置を有する情報処理システムにおいて、
前記第一通信装置は、
前記第二通信装置に電話をかける第一通話部と、
前記第二通信装置から送信された情報を受信する第一情報受信部と、
前記第一情報受信部が受信した情報を出力する情報出力部を具備し、
前記第二通信装置は、
前記第一通信装置と通信を行う第二通話部と、
前記第一通信装置からかけられた電話に対して、一定時間以上応答がなかったか否かを判断する留守判断部と、
前記留守判断部における判断が、一定時間以上応答がなかったとの判断である場合に、前記第三通信装置から情報を受信する第二情報受信部と、
前記第二情報受信部が受信した情報を前記第一通信装置に送信する第二情報送信部を具備し、
前記第三通信装置は、
情報を保持している情報保持部と、
前記第二通信装置からの要求に応じて前記情報保持部が保持している情報を前記第二通信装置に送信する間接情報送信部を
具備する情報処理システム。
【請求項３】
前記直接情報送信部は、前記第一通信装置から前記第二通信装置を経由して前記第三通信装置に送信された情報に基づいて前記情報保持部が保持している情報を選択して、当該情報を送信する請求項１記載の情報処理システム。
【請求項４】
前記間接情報送信部は、前記第一通信装置から前記第二通信装置を経由して前記第三通信装置に送信された情報に基づいて前記情報保持部が保持している情報を選択して、当該情報を送信する請求項２記載の情報処理システム。
【請求項５】
前記第一通信装置から前記第二通信装置を経由して前記第三通信装置に、前記第一通信装置の電話番号が送信される請求項３または請求項４いずれか記載の情報処理システム。
【請求項６】
請求項１から請求項５いずれか記載の情報処理システムを構成する第一通信装置。
【請求項７】
請求項１から請求項５いずれか記載の情報処理システムを構成する第二通信装置。
【請求項８】
請求項１から請求項５いずれか記載の情報処理システムを構成する第三通信装置。
【発明の詳細な説明】
【技術分野】
【０００１】
本発明は、情報を送受信する情報処理システムとそれらを構成する通信装置等に関するものである。
【背景技術】
【０００２】
従来、例えば、家庭内の電子機器の状態や電子機器が保持する情報を、外出中に携帯電話等により取得する情報処理システムが存在した。かかるシステムは、通信機能を持つ電子機器と携帯電話等の携帯端末で構成される。本情報処理システムの動作は以下の通りである。携帯端末から直接に、電子機器に通信し、当該電子機器が保持している情報を取得し、出力する。電子機器とは、例えば、ガス湯沸かし器やエアコンやガスコンロやテレビ等である。上記の技術は、ガス湯沸かし器やエアコン等が動作を継続しているか否かが心配である場合に、状況を確かめるために有効な技術である。また、上記の技術は、テレビが保持する番組情報を取得するために有効な技術である。
【０００３】
また、昨今の冷蔵庫で、伝言メモを記録、出力できる機能を有する冷蔵庫がある。
【発明の開示】
【発明が解決しようとする課題】
【０００４】
しかしながら、上記の従来技術では、家庭内に家族の別の者が居る場合にでも、電子機器の状態を直接的に取得する。家庭内に人が居る場合には、その人に直接電話で電子機器の状態を確認してもらい、例えば、人が居ないエアコンが作動していることが分かれば、電話でエアコンの電源をオフにしてもらうことを指示するほうが良い。つまり、家庭内に人が居る場合には、その人が状況を確認する方が詳しい状況が分かり、かつ次の動作を行いやすい。つまり、例えば、家族が留守の場合にのみ、家庭内の電子機器が保持する情報を取得したい。
【０００５】
また、上記の従来の冷蔵庫では、家に帰って伝言メモを出力する操作をしなければ、伝言メモを知ることができなかった。
【課題を解決するための手段】
【０００６】
以上の課題を解決するために、本発明は、外部から電話をかけて、留守である場合に、携帯電話等の通信装置が情報を取得する情報処理システムであり、かかる情報処理システムにより、家庭内に人が居る場合には、その人から電話により状況を取得し、人が居ない場合にのみ、機器間の通信により電子機器の状況や家人が残した伝言メモ等を取得する。
【発明の効果】
【０００７】
以上のように、本発明によれば、外部から電話をかけて、留守である場合に、携帯電話等の通信装置が情報を取得できる。
【発明を実施するための最良の形態】
【０００８】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
（実施の形態１）
図１は、本実施の形態に係る情報処理システムの概念図である。情報処理システムは、第一通信装置１１、第二通信装置１２、第三通信装置１３、第一電子機器１４、第二電子機器１５、・・・・・第ｎ電子機器１ｎを有する。第一通信装置１１は、例えば、携帯電話
である。第二通信装置１２は、例えば、据え置き型の電話である。第三通信装置１３は、例えば、ホームサーバである。第一電子機器１４から第ｎ電子機器１ｎは、エアコンやテレビやガス湯沸かし器等の家庭内の電子機器であり、ホームサーバに接続されている。家庭内の電子機器の状況は、ホームサーバで一括管理されている。
【０００９】
以上のような状況において、外出中のユーザが第一通信装置１１で家庭内の第二通信装置１２に電話をかける。第二通信装置１２に人が出なければ、第三通信装置１３（ホームサーバ）から第一電子機器１４、第二電子機器１５、・・・・・第ｎ電子機器１ｎ等の状況が第一通信装置１１に送信される。第一通信装置１１は、第一電子機器１４、第二電子機器１５、・・・・・第ｎ電子機器１ｎ等の状況を受信し、出力する。
【００１０】
図２は、本実施の形態に係る情報処理システムのブロック図である。第一通信装置１１は、第一通話部１１０１、第一情報受信部１１０２、情報出力部１１０３を有する。第二通信装置１２は、第二通話部１２０１、留守判断部１２０２、情報送信指示部１２０３を有する。第三通信装置１３は、情報保持部１３０１、指示受付部１３０２、直接情報送信部１３０３を有する。
【００１１】
第一通話部１１０１は、第二通信装置１２に電話をかける。電話のかけ先は、ユーザから入力された電話番号やＩＰアドレス等で識別される第二通信装置１２である。入力は、電話番号等を入力する必要はなく、電子電話帳を用いて選択する方式でも良い。
【００１２】
第一情報受信部１１０２は、第三通信装置１３から送信された情報を受信する。第一通話部１１０１と第一情報受信部１１０２は、例えば、無線の通信手段で実現される。
【００１３】
情報出力部１１０３は、第一情報受信部１１０２が受信した情報を出力する。出力とは、ディスプレイへの出力、スピーカへの音声出力、プリンターへの印字、他の装置への送信等、またはそれらの組み合わせが考えられる。
【００１４】
第二通話部１２０１は、第一通信装置１１と通信を行う。第二通話部１２０１は、例えば、モデムとそのドライバーソフト等で実現される。
【００１５】
留守判断部１２０２は、第一通信装置１１からかけられた電話に対して、一定時間以上応答がなかったか否かを判断する。応答とは、受話器をあげる、携帯電話の受話器ボタンを押下する、などがある。留守判断部１２０２は、通常、ソフトウェアで実現されるが、ハードウェア（専用回路）で実現されても良い。
【００１６】
情報送信指示部１２０３は、留守判断部１２０２における判断が、一定時間以上応答がなかったとの判断である場合に、第三通信装置１３に情報の送信を指示する。この指示は、通常、情報の送信を指示する命令による指示であり、その命令の構造は問わない。この指示には、通常、第一通信装置１１の電話番号が含まれる。第一通信装置１１の電話番は、第一通信装置１１から送信された情報である。情報送信指示部１２０３は、通常、通信手段とそのドライバーソフト等である。
【００１７】
情報保持部１３０１は、情報を保持している。情報とは、通常、第三通信装置１３の動作状況を示す情報であるが、それに限られない。情報は、実施の形態２で述べる、番組情報等でも良い。また、第三通信装置１３がホームサーバである場合などは、情報とは、ホームサーバが保持している家庭内の電子機器の動作状況を示す情報である。情報保持部１３０１は、不揮発性の記録媒体でも、揮発性の記録媒体でも良い。
【００１８】
指示受付部１３０２は、情報送信指示部１２０３からの指示を受け付ける。指示とは、
情報保持部１３０１が保持している情報を第一通信装置１１に送信する指示である。指示受付部１３０２は、通常、無線または有線の通信手段とそのドライバーソフトで実現され得る。
【００１９】
直接情報送信部１３０３は、指示受付部１３０２で指示を受け付けた場合に、情報保持部１３０１が保持している情報を第一通信装置１１に送信する。第一通信装置１１に情報を送信するために必要な第一通信装置１１の電話番号等は、指示受付部１３０２が受け付けた指示が有する。直接情報送信部１３０３は、無線または有線の通信手段で実現され得る。
【００２０】
以下、本情報処理システムの動作について説明する。まず、第一通信装置１１の動作について図３のフローチャートを用いて説明する。
（ステップＳ３０１）第一通話部１１０１は、通話のための電話番号等の入力を受け付けたか否かを判断する。電話番号等の入力を受け付ければステップＳ３０２に行き、電話番号等の入力を受け付けなければステップＳ３０１に戻る。
【００２１】
（ステップＳ３０２）第一通話部１１０１は、第二通信装置１２と通信開始の処理をする。通信開始の処理とは、いわゆる電話をかける処理であり、発呼するトリガーとなる処理である。
【００２２】
（ステップＳ３０３）第一通話部１１０１は、通話が開始されたか否かを判断する。つまり、第二通信装置１２の受話器があげられたか否かを判断する。通話が開始されればステップＳ３０４に行き、通話が開始されなければステップＳ３０６に飛ぶ。
（ステップＳ３０４）第一通話部１１０１は、第二通信装置１２と通話を行う。通話とは、双方向での音声（画像を含んでも良い）の送受信を行うことである。
【００２３】
（ステップＳ３０５）第一通話部１１０１は、終了信号を受け付けたか否かを判断する。第一通信装置１１または第二通信装置１２の受話器が置かれた等の場合に、終了信号は受け付けられる。終了信号を受け付ければ処理を終了し、終了信号を受け付けなければステップＳ３０４に戻る。つまり、通話を続行する。
【００２４】
（ステップＳ３０６）第一情報受信部１１０２は、第三通信装置１３から情報を受信したか否かを判断する。第三通信装置１３から情報を受信すればステップＳ３０７に行き、第三通信装置１３から情報を受信しなければステップＳ３０３に戻る。
（ステップＳ３０７）情報出力部１１０３は、ステップＳ３０６で受信した情報を出力する。
【００２５】
次に、第二通信装置１２の動作について図４のフローチャートを用いて説明する。
（ステップＳ４０１）第二通話部１２０１は、第一通信装置１１から通話開始の命令を受信したか否かを判断する。通話開始命令を受信すればステップＳ４０２に行き、通話開始命令を受信しなければステップＳ４０１に戻る。なお、通常、通話開始命令を受信すれば、第二通信装置１２のベルが鳴る。通話開始命令は、電話がかかってきた時に、送信される命令である、とする。通話開始命令は、第一通信装置１１の電話番号を含む。
【００２６】
（ステップＳ４０２）タイマーの変数Ｔｉｍｅを０にする。なお、Ｔｉｍｅは、処理とは別にカウントアップされる。
【００２７】
（ステップＳ４０３）第二通話部１２０１は、ユーザにより受話器が上げられたか否かを判断する。受話器が上げられればステップＳ４０４に行き、受話器が上げられなければステップＳ４０６に飛ぶ。受話器が上がる、というのは、通話のための動作を行う、とい
う意であり、通話ボタンを押下する等も含む。
【００２８】
（ステップＳ４０４）第二通話部１２０１は、第一通信装置１１と通話をする。
【００２９】
（ステップＳ４０５）第二通話部１２０１は、終了信号を受け付けたか否かを判断する。終了信号を受け付ければ処理を終了し、終了信号を受け付けなければステップＳ４０４に戻る。つまり、通話を続行する。
【００３０】
（ステップＳ４０６）留守判断部１２０２は、Ｔｉｍｅが一定値以上であるか否かを判断する。Ｔｉｍｅが一定値以上であれば、留守であると判断して、ステップＳ４０７に行き、Ｔｉｍｅが一定値未満であれば、ステップＳ４０３に戻る。
【００３１】
（ステップＳ４０７）情報送信指示部１２０３は、第三通信装置１３に対して、第一通信装置１１に情報を送信するように指示をする。
【００３２】
次に、第三通信装置１３の動作について図５のフローチャートを用いて説明する。
【００３３】
（ステップＳ５０１）指示受付部１３０２は、第一通信装置１１に情報を送信する指示を受け付けたか否かを判断する。指示を受け付ければステップＳ５０２に行き、指示を受け付けなければステップＳ５０１に戻る。
【００３４】
（ステップＳ５０２）直接情報送信部１３０３は、情報保持部１３０１から情報を取得する。
【００３５】
（ステップＳ５０３）直接情報送信部１３０３は、ステップＳ５０２で取得した情報を、第一通信装置１１に送信する。第一通信装置１１に送信するために必要な第一通信装置１１の電話番号等は、通常、ステップＳ５０１で受け付けた指示に含まれる。
【００３６】
以下、本実施の形態における情報処理ステムの具体的な動作について図１の情報処理システムの概念図を用いて説明する。第一通信装置１１は、携帯電話である。第二通信装置１２は、家庭内に設置された電話機である。第三通信装置１３は、ホームサーバである。ホームサーバには、エアコン１４やテレビ１５やガス湯沸かし器１ｎ等が接続されている。
【００３７】
また、第三通信装置１３は、図６の各電子機器の状態を管理している、とする。図６は、電子機器状態管理表であり、「ＩＤ」「電子機器」「状況」を有するレコードを１以上管理している。「ＩＤ」はレコードを識別する情報であり、表管理のために必要である。「電子機器」は電子機器の名称である。「状況」は電子機器の状況を示す情報である。状況を示す情報とは、電子機器の動作状態や電子機器に設定されている情報や電子機器の内部状態を示す情報等である。電子機器状態管理表の情報は、第三通信装置１３が接続されている各電子機器から取得した情報である。
【００３８】
以上のような状況において、第一通信装置１１の所有者はＡ氏であり、Ａ氏は外出中である。そして、家のエアコンとガス湯沸かし器をオンにしたまま外出したのではないか、と心配になったとする。そして、Ａ氏は第一通信装置１１で家の第二通信装置１２に電話をかける。次に、家にＡ氏の家族が居る場合は、家族が電話に出て、Ａ氏エアコンとガス湯沸かし器の状況を教えてもらえる。また、家にＡ氏の家族が居ない場合は、第二通信装置１２が通話の状態にならないので、第二通信装置１２は、留守である、と判断する。
【００３９】
次に、第二通信装置１２は、第三通信装置１３に情報の送信を指示する。この指示情報
は、第一通信装置１１の電話番号を含む。次に、第三通信装置１３は、電子機器状態管理表の情報を取得し、第一通信装置１１に送信する。
【００４０】
次に、第一通信装置１１は、電子機器状態管理表の情報を受信し、出力する。情報出力の画面例を図７に示す。図７によれば、「ＩＤ」と「電子機器」が画面に表示されている。Ａ氏は、まず「１．エアコン」の項目を選択する。次に、第一通信装置１１は、「エアコン」の「状態」を表示する（図８参照）。なお、「→」ボタンを選択した場合には、次の項目を表示する画面になる（図９参照）。
【００４１】
以上、本実施の形態によれば、外部から電話をかけて、留守である場合に、携帯電話等の第一通信装置が、例えば、家庭内の電子機器が保持している情報を取得できる。
【００４２】
なお、本実施の形態において、第三通信装置は、保持している情報をすべて第一通信装置に送信したが、第三通信装置は、第一通信装置から第二通信装置を経由して第三通信装置に送信された情報に基づいて情報保持部が保持している情報を選択して、当該情報を第一通信装置に送信しても良い。かかる場合、例えば、ホームサーバは、図１０に示す電子機器状態管理表を管理している。また、第一通信装置の電話番号が「０５０−１２３４−５６７８」である、とする。かかる場合、第一通信装置から第二通信装置に電話をかけて、誰も電話に出なかった場合に、第三通信装置に情報送信の指示が行われる。かかる場合、電話番号「０５０−１２３４−５６７８」は第一通信装置から第二通信装置を経由して、第三通信装置に伝達される。
【００４３】
次に、第三通信装置の直接情報送信部は、「０５０−１２３４−５６７８」を含む「電話番号」を有するレコードを図１０の電子機器状態管理表から取得する。この取得したレコードの例が図１１である。そして、第三通信装置は、図１１の情報を第一通信装置に送信する。第一通信装置は、図１１の情報を受信し、出力する。
以上、上記の情報処理システムによれば、電話をかけた人（通信装置）に必要な情報がフィルタリングされて第三通信装置から送信される。
【００４４】
また、本実施の形態において、第一通信装置、第二通信装置、および第三通信装置間において、主として電話番号により通信したが、ＩＰアドレス等を用いて通信をしても良い。
【００４５】
さらに、本実施の形態において説明した第一通信装置、第二通信装置、第三通信装置の動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことは、すべての実施の形態において同様である。
【００４６】
なお、本実施の形態において説明した第一通信装置をソフトウェアで実現した場合のプログラムは、コンピュータに、第二通信装置に電話をかける第一通話ステップと、第三通信装置から送信された情報を受信する第一情報受信ステップと、第一情報受信ステップで受信した情報を出力する情報出力ステップを実行させるプログラムである。
【００４７】
また、本実施の形態によれば、第三通信装置は電子機器の状態を管理しており、当該状態の情報を第一通信装置に送信したが、様々な機器（冷蔵庫など）に家人が残したメモ情報や、機器の設定情報（例えば、ビデオの録画予約情報）や受信した電子メールの情報や、家人の行動予定などの情報等を管理し、送信しても良い。第三通信装置が管理し、送信する情報に種々のものが考えられることは、他の実施の形態においても同様である。
【００４８】
また、本実施の形態において説明した第二通信装置をソフトウェアで実現した場合のプログラムは、コンピュータに、第一通信装置と通信を行う第二通話ステップと、第一通信装置からかけられた電話に対して、一定時間以上応答がなかったか否かを判断する留守判断ステップと、留守判断ステップにおける判断が、一定時間以上応答がなかったとの判断である場合に、第三通信装置に情報の送信を指示する情報送信指示ステップを実行させるプログラムである。
【００４９】
さらに、本実施の形態において説明した第三通信装置をソフトウェアで実現した場合のプログラムは、第二通信装置からの指示を受け付ける指示受付ステップと、指示受付ステップで指示を受け付けた場合に、予め保持している情報を第一通信装置に送信する直接情報送信ステップを実行させるプログラムである。
（実施の形態２）
図１２は、本実施の形態に係る情報処理システムのブロック図である。情報処理システムは、第一通信装置１２１、第二通信装置１２２、第三通信装置１２３を有する。第一通信装置１２１は、第一通話部１１０１、第一情報受信部１２１０２、情報出力部１１０３を有する。第二通信装置１２２は、第二通話部１２０１、留守判断部１２０２、第二情報受信部１２２０１、第二情報送信部１２２０２を有する。第三通信装置１２３は、情報保持部１３０１、間接情報送信部１２３０３を有する。
【００５０】
第一情報受信部１２１０２は、第二通信装置１２２から送信された情報を受信する。第一情報受信部１２１０２は、無線の通信手段で実現され得る。
【００５１】
第二情報受信部１２２０１は、留守判断部１２０２における判断が、一定時間以上応答がなかったとの判断である場合に、第三通信装置１２３から情報を受信する。第二情報受信部１２２０１は、例えば、モデムとそのドライバーソフト等で実現される。
【００５２】
第二情報送信部１２２０２は、第二情報受信部１２２０１が受信した情報を第一通信装置１２１に送信する。第二情報送信部１２２０２は、例えば、モデムとそのドライバーソフト等で実現される。
【００５３】
間接情報送信部１２３０３は、第二通信装置１２２からの要求に応じて情報保持部１３０１が保持している情報を選択して、第二通信装置１２２に送信する。間接情報送信部１２３０３は、第一通信装置１２１から第二通信装置１２２を経由して第三通信装置１２３に送信された情報に基づいて、情報保持部１３０１が保持している情報の中から情報を選択する。情報選択のアルゴリズムは種々ある。実施の形態１で述べたように、第三通信装置１２３は、第一通信装置１２１の電話番号に基づいて情報を選択しても良い。なお、間接情報送信部１２３０３は、無線の通信手段で実現され得る。
【００５４】
以下、本情報処理システムの動作について説明する。まず、第一通信装置１２１の動作について図１３のフローチャートを用いて説明する。
（ステップＳ１３０１）第一通話部１１０１は、通話のための電話番号等の入力を受け付けたか否かを判断する。電話番号等の入力を受け付ければステップＳ１３０２に行き、電話番号等の入力を受け付けなければステップＳ１３０１に戻る。
【００５５】
（ステップＳ１３０２）第一通話部１１０１は、第二通信装置１２２と通信開始の処理をする。通信開始の処理とは、いわゆる電話をかける処理である。
【００５６】
（ステップＳ１３０３）第一通話部１１０１は、通話が開始されたか否かを判断する。つまり、第二通信装置１２２の受話器があげられたか否かを判断する。通話が開始されればステップＳ１３０４に行き、通話が開始されなければステップＳ１３０６に飛ぶ。
【００５７】
（ステップＳ１３０４）第一通話部１１０１は、第二通信装置１２２と通話を行う。通話とは、双方向での音声（画像を含んでも良い）の送受信を行うことである。
【００５８】
（ステップＳ１３０５）第一通話部１１０１は、終了信号を受け付けたか否かを判断する。第一通信装置１２１または第二通信装置１２２の受話器が置かれた場合に、終了信号は受け付けられる。終了信号を受け付ければ処理を終了し、終了信号を受け付けなければステップＳ１３０４に戻る。つまり、通話を続行する。
【００５９】
（ステップＳ１３０６）第一情報受信部１１０２は、第二通信装置１２２から情報を受信したか否かを判断する。第二通信装置１２２から情報を受信すればステップＳ１３０７に行き、第二通信装置１２２から情報を受信しなければステップＳ１３０３に戻る。
【００６０】
（ステップＳ１３０７）情報出力部１１０３は、ステップＳ１３０６で受信した情報を出力する。
【００６１】
次に、第二通信装置１２２の動作について図１４のフローチャートを用いて説明する。（ステップＳ１４０１）第二通話部１２０１は、第一通信装置１２１から通話開始の命令を受信したか否かを判断する。通話開始命令を受信すればステップＳ１４０２に行き、通話開始命令を受信しなければステップＳ１４０１に戻る。なお、通常、通話開始命令を受信すれば、第二通信装置１２２のベルが鳴る。
【００６２】
（ステップＳ１４０２）タイマーの変数Ｔｉｍｅを０にする。なお、Ｔｉｍｅは、本フローチャートにおける処理とは別にカウントアップされる。
【００６３】
（ステップＳ１４０３）第二通話部１２０１は、ユーザにより受話器が上げられたか否かを判断する。受話器が上げられればステップＳ１４０４に行き、受話器が上げられなければステップＳ１４０６に飛ぶ。
【００６４】
（ステップＳ１４０４）第二通話部１２０１は、第一通信装置１２１と通話をする。
【００６５】
（ステップＳ１４０５）第二通話部１２０１は、終了信号を受け付けたか否かを判断する。終了信号を受け付ければ処理を終了し、終了信号を受け付けなければステップＳ１４０４に戻る。つまり、通話を続行する。
【００６６】
（ステップＳ１４０６）留守判断部１２０２は、Ｔｉｍｅが一定値以上であるか否かを判断する。Ｔｉｍｅが一定値以上であれば、留守であると判断して、ステップＳ１４０７に行き、Ｔｉｍｅが一定値未満であれば、ステップＳ１４０３に戻る。
【００６７】
（ステップＳ１４０７）第二情報送信部１２２０２は、第三通信装置１２３に対して、第一通信装置１１に情報を送信するように要求し、第三通信装置１２３から情報を取得する。
【００６８】
（ステップＳ１４０８）第二情報送信部１２２０２は、ステップＳ１４０７で取得した情報を第一通信装置１２１に送信する。
【００６９】
次に、第三通信装置１３の動作について図１５のフローチャートを用いて説明する。
（ステップＳ１５０１）指示受付部１３０２は、第一通信装置１２１に情報を送信する要求を受け付けたか否かを判断する。要求を受け付ければステップＳ１５０２に行き、要求を受け付けなければステップＳ１５０１に戻る。
【００７０】
（ステップＳ１５０２）間接情報送信部１２３０３は、情報保持部１３０１から情報を選択する。
（ステップＳ１５０３）間接情報送信部１２３０３は、ステップＳ１５０２で選択した情報を、第二通信装置１２２に送信する。
【００７１】
以下、本実施の形態における情報処理ステムの具体的な動作について図１６の情報処理システムの概念図を用いて説明する。情報処理システムは、携帯端末１６１（第一通信装置）、家庭に設置されている電話機１６２（第二通信装置）、デジタルテレビ１６３（第三通信装置）を有する。デジタルテレビ１６３は、放送により電子番組表（図１７）を受信して蓄積している。また、デジタルテレビ１６３は、図１８のユーザ属性管理表を格納している。ユーザ属性管理表は、ユーザ（ここでは、ある家族のメンバー）の嗜好を保持する表である。ユーザ属性管理表は、「電話番号」「ジャンル」「出演者」を有するレコードを複数管理する。「電話番号」は、ユーザの保持する携帯端末の電話番号である。「ジャンル」は、ユーザの興味のある番組のジャンルである。「出演者」は、ユーザが好きな俳優、タレント等である。
【００７２】
以上の状況において、携帯端末１６１のユーザ（Ｂ氏）は、家に電話をかけて、これから放送されるテレビ番組の情報を得よう、とする。Ｂ氏が電話機１６２に電話をかける際に、携帯端末１６１の電話番号「０５０−５５５５−１１１１」が電話機１６２に送信される。家族の者が電話に出れば、Ｂ氏は家族の者にテレビ番組についてたずねれば良い。しかし、家族の者が電話に出ない場合に、以下の動作が行われる。
【００７３】
つまり、電話機１６２は、電話番号「０５０−５５５５−１１１１」を受信し、電話番号「０５０−５５５５−１１１１」を有する情報送信の要求をデジタルテレビ１６３に送信する。デジタルテレビ１６３は、電話番号「０５０−５５５５−１１１１」を有する情報送信の要求を受信する。次に、デジタルテレビ１６３は、電話番号「０５０−５５５５−１１１１」に基づいて、図１８のユーザ属性管理表を検索し、Ｂ氏の好きな番組の「ジャンル」と「出演者」を取得する。
【００７４】
次に、デジタルテレビ１６３は、Ｂ氏の好きな番組の「ジャンル」と「出演者」に基づいて図１７の電子番組表から番組情報を検索する。その結果、デジタルテレビ１６３は、図１９の番組情報を得る。図１９の番組情報は、「ＩＤ」「時間」「タイトル」「出演者」「番組説明」を有するが、他の情報を有しても良い。また、デジタルテレビ１６３は時計を保持しており、現在の時刻から以降の番組情報を選択する、とする。つまり、ここでは、デジタルテレビ１６３は、第一通信装置（携帯端末１６１）から第二通信装置（電話機１６２）を経由して第三通信装置（デジタルテレビ１６３）に送信された情報と、デジタルテレビ１６３が保持している情報に基づいて情報保持部が保持している情報（電子番組表）を選択する。デジタルテレビ１６３が保持している情報とは、ここでは、例として時刻の情報をあげたが、時刻の情報であるとは限らない。
【００７５】
なお、デジタルテレビ１６３は、第一通信装置（携帯端末１６１）から第二通信装置（電話機１６２）を経由して第三通信装置（デジタルテレビ１６３）に送信された情報と、デジタルテレビ１６３が保持している情報のみに基づいて情報を選択しても良い。
【００７６】
次に、デジタルテレビ１６３は、図１９の番組情報を電話機１６２に送信する。電話機１６２は、図１９の番組情報を受信し、携帯端末１６１に送信する。携帯端末１６１は、図１９の番組情報を受信し、出力する。この番組情報により、Ｂ氏は、今の時刻以降に放送される、自分の嗜好に合致する番組の情報が得られる。また、Ｂ氏は、かかる番組情報を利用して番組の録画予約を行っても良い。遠隔操作により番組予約を行う技術は、既存
技術であるので詳細な説明は省略する。
【００７７】
以上、本実施の形態によれば、外部から電話をかけて、留守である場合に、携帯端末等の第一通信装置は、他の装置が保持する情報を電話機経由で取得できる。
【００７８】
なお、本実施の形態において、第三通信装置は、第一通信装置から第二通信装置を経由して第三通信装置に送信された情報に基づいて情報保持部が保持している情報を選択して、当該情報を送信したが、第三通信装置が保持するすべての情報を取り出して、第二通信装置に送信しても良い。
【００７９】
また、本実施の、形態において、第三通信装置は、電子番組表の情報を保持し、送信したが、他の情報を保持し送信しても良い。他の情報とは、例えば、家人が入力したメモや外部から受信した電子メールの情報や、電子番組表を利用して家人が録画予約したことを示す情報等である。家人が残したメモや録画予約の情報等を第一通信装置が受信できれば、家人の行き先や行動予定が分かる場合があるなど、便利である。
【００８０】
さらに、本実施の形態において説明した第一通信装置、第二通信装置、第三通信装置の動作について、ソフトウェアで実現した場合のプログラムは、以下のようになる。第一通信装置を実現するプログラムは、コンピュータに、第二通信装置に電話をかける第一通話ステップと、第二通信装置から送信された情報を受信する第一情報受信ステップと、第一情報受信ステップで受信した情報を出力する情報出力ステップを実行させるためのプログラムである。
【００８１】
また、第二通信装置を実現するプログラムは、コンピュータに、第一通信装置と通信を行う第二通話ステップと、第一通信装置からかけられた電話に対して、一定時間以上応答がなかったか否かを判断する留守判断ステップと、留守判断ステップにおける判断が、一定時間以上応答がなかったとの判断である場合に、第三通信装置から情報を受信する第二情報受信ステップと、第二情報受信ステップで受信した情報を第一通信装置に送信する第二情報送信ステップを実行させるプログラムである。さらに、第三通信装置を実現するプログラムは、コンピュータに、第二通信装置からの要求に応じて、予め保持している情報を第二通信装置に送信する間接情報送信ステップを実行させるプログラムである。
【産業上の利用可能性】
【００８２】
以上のように、本発明にかかる情報処理システムは、外部から電話をかけて、留守である場合に、携帯電話等の通信装置が情報を取得できる、という効果を有し、情報を送受信する情報処理システム等として有用である。
【図面の簡単な説明】
【００８３】
【図１】実施の形態１における情報処理システムの概念図
【図２】実施の形態１における情報処理システムのブロック図
【図３】実施の形態１における第一通信装置の動作を説明するフローチャート
【図４】実施の形態１における第二通信装置の動作を説明するフローチャート
【図５】実施の形態１における第三通信装置の動作を説明するフローチャート
【図６】実施の形態１における電子機器状態管理表を示す図
【図７】実施の形態１における情報出力の例を示す図
【図８】実施の形態１における情報出力の例を示す図
【図９】実施の形態１における情報出力の例を示す図
【図１０】実施の形態１における電子機器状態管理表の例を示す図
【図１１】実施の形態１における電子機器状態管理表のフィルタリング結果を示す図
【図１２】実施の形態２における情報処理システムのブロック図
【図１３】実施の形態２における第一通信装置の動作を説明するフローチャート
【図１４】実施の形態２における第二通信装置の動作を説明するフローチャート
【図１５】実施の形態２における第三通信装置の動作を説明するフローチャート
【図１６】実施の形態２における情報処理システムの概念図
【図１７】実施の形態２における電子番組表を示す図
【図１８】実施の形態２におけるユーザ属性管理表を示す図
【図１９】実施の形態２における選択した番組情報を示す図
【符号の説明】
【００８４】
１１、１２１  第一通信装置
１２、１２２  第二通信装置
１３、１２３  第三通信装置
１１０１  第一通話部
１１０２、１２１０２  第一情報受信部
１１０３  情報出力部
１２０１  第二通話部
１２０２  留守判断部
１２０３  情報送信指示部
１３０１  情報保持部
１３０２  指示受付部
１３０３、１２３０３  第三情報送信部
１２２０１  第二情報受信部
１２２０２  第二情報送信部
【図１】
2006203955.tif 000003
【図２】
2006203955.tif 000004
【図３】
2006203955.tif 000005
【図４】
2006203955.tif 000006
【図５】
2006203955.tif 000007
【図６】
2006203955.tif 000008
【図７】
2006203955.tif 000009
【図８】
2006203955.tif 000010
【図９】
2006203955.tif 000011
【図１０】
2006203955.tif 000012
【図１１】
2006203955.tif 000013
【図１２】
2006203955.tif 000014
【図１３】
2006203955.tif 000015
【図１４】
2006203955.tif 000016
【図１５】
2006203955.tif 000017
【図１６】
2006203955.tif 000018
【図１７】
2006203955.tif 000019
【図１８】
2006203955.tif 000020
【図１９】
2006203955.tif 000021